(57)【要約】      （修正有）【課題】狭隙部での細かい工業部品の補修・調節などに便利に使用することのできる小型研磨用やすりを提供する。【解決手段】ダイヤモンド等の超砥粒を固着させた、０．３ｍｍ〜１．０ｍｍの芯直径を有する小型やすり棒を、シャープペンシルの芯収納部に、少なくとも１本収納し、やすり棒ホルダーとして利用する。狭小の隙間に入れることができ、最終成型製品を細部にまでその仕上がり・手触り・美観を高めることが可能となる。手軽に持ち歩く事もできる。【選択図】図２
0003203149.tif 000002
【実用新案登録請求の範囲】
【請求項１】
０．３ｍｍ〜１．０ｍｍの直径孔を有するシャープペンシルの芯収納部に、ダイヤモンド等の超砥粒を固着してなる小型やすり棒を少なくとも１本収納してなる手動式のやすり。
【請求項２】
棒状芯の最大太さが０．３ｍｍ〜１．０ｍｍを有するダイヤモンド等の超砥粒を固着させた小型やすり棒をシャープペンシルの芯収納部に、少なくとも１本収納し、やすり棒のホルダーとして利用することを特徴とする請求項１に記載の小型工具。
【請求項３】
ダイヤモンド等の超砥粒を固着させた、芯直径の大きさ及び形状並びに砥粒の大きさにより、ホルダーとして利用するシャープペンシルのやすり棒のホルダーの色を変化させて、それらの選択及び識別を容易にすることを特徴とする請求項１〜２に記載の小型やすり。
【請求項４】
ホルダーであるシャープペンシルの収納部分に装入した小型やすり棒を、使用された小型やすり棒が目的とする作業・用途に適しなくなった際には随時新たなやすり棒に取り替えることによって、新品の機能を果たすことを特徴とする小型やすり。
【請求項５】
ダイヤモンド等の超砥粒を固着した、小型やすり棒の芯の断面形状において、片側もしくは両側の刃が、丸形または角形に形成されていることを特徴とする小型やすり。 
【考案の詳細な説明】
【技術分野】
【０００１】
本考案は携帯性に優れ、コンパクトであって、主として工業精密部品、金型や治工具、さらに、小物、身飾り品やホビー用品などの産業製品並びに商品を研磨（研削、穿孔等を含む）などの加工をすることを目的とした小型やすりに関する。
【背景技術】
【０００２】
工業製品が高機能化してきている背景、産業および精密機器の製造分野に於いて、精密かつ小型化が進んでいる。この為、従来のやすり（日本工業規格で定められている一般的な工業用やすり）を使用しての精密な加工は一段と難しくなってきている。そして、本考案のように狭小の隙間に装入する事の出来る商品は、最終成型製品に細部までその仕上がり・手触り・美観をできるだけ高める事が要望されている。
【０００３】
例えば、下記特許文献には、砥石を着脱可能に装着した振動体を本体に内蔵した伝達機構により、やすり部の使用寿命を延ばすことのできる電動式やすりを備えた刃物研ぎ器が開示されている。
【先行技術文献】
【特許文献】
【０００４】
【特許文献１】実用新案登録第３１８３５６５号公報
【考案の概要】
【考案が解決しようとする課題】
【０００５】
しかしながら、特許文献１に記載されたような刃物研ぎ器では、より小型化された工業製品、部品等の加工においては、狭隙に入り込みバリ取りなどの仕上げ加工を主目的とした切削、研磨等に使用するには不向きである。
【０００６】
そこで、本考案は、前述した課題に対し、片手のみでも容易に使用することができ、またその全体を装置、作業衣（靴、帽子、ポケット等）またその一部などに手軽に装着または携帯し、場所を選ばず手軽に作業をすることができるような小型のやすり類があれば大変に便利であるとの考えに基づいたものであって、目的商品の製作の行程や過程でやむなく発生するバリや、不所望形状の変形部分などを切削除去する上に非常に好適であり、精密部品等の商品を研磨することを主な目的とするやすりとして使用する上で非常に便利な部品に関するものである。
このような手軽に使用できる手動式のやすりは前記した工業部品を研磨加工する作業を容易かつ簡単軽易に行なうことができるという特徴を有している。
また本考案によれば、小物等に対して細かな位置調整などに気を配ることもなく、その寸法や形状に応じて、サイズ、砥粒の大きさの異なる任意のやすり棒を使い分けることによって容易に小物等の研磨対象体を研磨しうる。また、機器のメンテナンスについては、やすり部の芯材の入替のみで機能を維持できるため、軽妙かつ迅速な作業をする事が可能となる。本考案は、上記したような従来品の欠点を省くことを可能とした製品を提供することを目的としている。
【課題を解決するための手段】
【０００７】
本考案者は上記のような目的を達成するのには、現在筆記用具として巷に普及しているシャープペンシルの芯材用の筒状芯収納部を用いるのが最適であることに思い到った。現在多用されているシャープペンシルは、芯の直径が０．３ｍｍ〜１．０ｍｍ程度の比較的細い直径の筆記具用の芯（普通は黒鉛や炭素を主体とし、他に必要に応じて赤色、青色等の色素材料を接着成分と共に成型、押出し、その後切断して数ｃｍの長さにしたもの）を使用している。
【０００８】
本考案の小型やすりは、熱処理により、焼入れされた鋼材に円筒状、針状ないしは角柱状に切断、成形加工して製造された基材としての芯材の表面に、ニッケルメッキの製造プロセスによってダイヤモンド等の砥粒径が４０μm以下である超砥粒を固着したものをやすりの芯材として使用する。その主な加工対象の素材となる物質は、超硬、非鉄金属、焼入れ鋼、ガラス、ＰＣＤ、強化プラスチック、カーボン、硬質ゴム、アルミナ、ジルコニア、窒化ケイ素、炭化ケイ素、ハイス鋼、セラミック等がある。  
【０００９】
本考案の小型やすりは、芯材部分に熱処理により焼入れをされた鋼材に円筒状、針状ないしは角柱状に切断、成形加工された基材の表面にニッケルメッキの製造プロセスによって上述したようなダイヤモンド等の超砥粒を固着させたものである。特に、バリ取り、面取り、エンドミル、ドリル、などのコーニング、ノーズアール加工、切削工具刃先処理、カケ防止等の作業に効果的に使用できる。   
【００１０】
いずれにせよ、本考案の小型やすりは、その先端部までダイヤモンド等の超砥粒が固着されているため、０．３ｍｍ以下というような狭小の箇所でも作業ができる。また超硬・セラミック・焼入れ鋼等の硬質材料から強化プラスチック・カーボン・硬質ゴム・ガラス等にいたるまでの硬軟度が広く異なる適宜材料を加工することができる。
【００１１】
もちろん本考案小型やすりは、通常の筆記目的のシャープペンシルの使い方とほとんど同様であるため、図１に示したように作業する際の手指によるグリップの方法は同じである。
【００１２】
本考案の小型やすり棒の形状はその断面が円形のものや角形のもの等各種のものがあり、図２はその詳細を示すものである。
【００１３】
このように、本件考案の小型やすりは、形状崩れも無く、市販のシャープペンシルに入れて、作業場の近くでまたは作業者が衣服のポケットなどに入れて使用でき、手軽に使え、セットも簡単にできるという特徴を有する。
ホルダーであるシャープペンシルをノックすることにより、作業したい箇所の寸法分のみを突き出すことができ、使い勝手の良い長さに調節して容易に使用することが可能である。
【００１４】
さらに、本考案のやすりの使い方の一例を図５と図６に示す。
【００１５】
さらに参考として、各種規格のやすりをホルダーであるシャープペンシル本体の色で分別収納する際の例を図８に示す。色の分け方に特に規則性は無いが、やすり部の断面寸法０．３ｍｍ〜１．０ｍｍの芯直径と砥粒の大きさにより色分けするのが実用的であろう。見た目で識別しにくい芯直径と砥粒の大きさを、シャープペンシルと同色のシールを保管ケースに貼り付けることによって、使用をする際又は保管をする際に於いて、異種芯棒（材）の混入を防ぎ発注する際に於いても色で識別をし、発注が容易となる。
【００１６】
以上述べたように、本考案のダイヤモンド等の超砥粒を固着させた小型やすりは、精密部品等の狭細部（狭い箇所）、マイクロ（微細）バリの除去（特に従来工具で届きにくい箇所）の修理、調整、小径ドリル等の刃先処理、金型の微調整、複雑な形状部の補修、時計部品等の細かい箇所の研削、修理、調整などの適切な場所で便利かつ有用に用いられる以外に、従来廃棄されていた各種使用済みのシャープペンシルの芯収納部を、やすり棒の収納場所として有効に利用した点で廃品の処理にも役立つ有用な考案である。特に、握りやすく老若男女を問わず誰もが使用したことのあるシャープペンシルを利用することで、操作の状態が工具を通じて伝わることによって、作業者の意思が工具を通じて忠実に作業に反映される。
【図面の簡単な説明】
【００１７】
【図１】本考案の全体外観を示し、使用時の状態を示す。
【図２】本考案の細部外観を示す図である。
【図３】本考案の標準品セット販売の梱包を示す図である。
【図４】本考案の取り扱いを示す図である。
【図５】本考案のやすりの使い方を示す一例の図である。
【図６】本考案のやすりが作用する部位の角度を拡大した図である。
【図７】本考案のやすりのセットの一例であり、概略寸法を示す図である。
【図８】本考案の商品色対応を示す図である。
【図１】
0003203149.tif 000003
【図２】
0003203149.tif 000004
【図３】
0003203149.tif 000005
【図４】
0003203149.tif 000006
【図５】
0003203149.tif 000007
【図６】
0003203149.tif 000008
【図７】
0003203149.tif 000009
【図８】
0003203149.tif 000010
【手続補正書】
【提出日】平成28年1月15日(2016.1.15)
【手続補正２】
【補正対象書類名】実用新案登録請求の範囲
【補正対象項目名】全文
【補正方法】変更
【補正の内容】
【実用新案登録請求の範囲】
【請求項１】
０．３ｍｍ〜１．０ｍｍの直径孔を有するシャープペンシルの芯収納部に、ダイヤモンド等の超砥粒を固着してなる小型やすり棒を少なくとも１本収納してなる手動式やすり。
【請求項２】
棒状芯の最大太さが０．３ｍｍ〜１．０ｍｍを有するダイヤモンド等の超砥粒を固着させた小型やすり棒をシャープペンシルの芯収納部に、少なくとも１本収納し、やすり棒のホルダーとして利用することを特徴とする請求項１に記載の手動式やすり。
【請求項３】
ダイヤモンド等の超砥粒を固着させた、芯直径の大きさ及び形状並びに砥粒の大きさにより、ホルダーとして利用するシャープペンシルのやすり棒のホルダーの色を変化させて、それらの選択及び識別を容易にすることを特徴とする請求項１〜２のいずれかに記載の手動式やすり。
【請求項４】
ホルダーであるシャープペンシルの収納部分に装入した小型やすり棒を備え、使用された小型やすり棒が目的とする作業・用途に適しなくなった際には随時新たなやすり棒に取り替えることによって、新品の機能を果たすことを特徴とする請求項１〜３のいずれかに記載の手動式やすり。
【請求項５】
ダイヤモンド等の超砥粒を固着した、小型やすり棒の芯の断面形状において、片側もしくは両側の刃が、丸形または角形に形成されていることを特徴とする請求項１〜４のいずれかに記載の手動式やすり。
【手続補正３】
【補正対象書類名】明細書
【補正対象項目名】０００１
【補正方法】変更
【補正の内容】
【０００１】
本考案は携帯性に優れ、コンパクトであって、主として工業精密部品、金型や治工具、さらに、小物、身飾り品やホビー用品などの産業製品並びに商品を研磨（研削、穿孔等を含む）などの加工をすることを目的とした手動式小型やすりに関する。